(57)【要約】【課題】通常動作時におけるスイッチング損失を低減することができるＬＥＤ点灯装置および、これを用いた照明器具を提供する。【解決手段】スイッチング素子Ｑ１を有し、スイッチング素子Ｑ１がスイッチング制御されることで、直流電源９からの出力電圧を昇圧して出力する昇圧部２と、スイッチング素子Ｑ２，Ｑ３を有し、スイッチング素子Ｑ２，Ｑ３からなる直列回路は昇圧部２の出力端間に接続され、低圧側に接続されたスイッチング素子Ｑ３をオフした状態で、高圧側に接続されたスイッチング素子Ｑ２がスイッチング制御されることで、昇圧部２の出力電圧を降圧して光源部８に印加する降圧部３と、スイッチング素子Ｑ１，Ｑ２，Ｑ３のスイッチング制御を行う制御部とを備え、スイッチング素子Ｑ２のドレイン−ソース間寄生容量Ｃｄｓ２を、スイッチング素子Ｑ３のドレイン−ソース間寄生容量Ｃｄｓ３よりも大きくする。【選択図】図１
2012147507.tif 000002
【特許請求の範囲】
【請求項１】
少なくとも第１のインダクタおよび第１のスイッチング素子を有し、前記第１のスイッチング素子がスイッチング制御されることで、直流電源からの出力電圧を昇圧して出力する昇圧部と、
少なくとも第２のインダクタおよび第２，第３のスイッチング素子を有し、前記第２のスイッチング素子と前記第３のスイッチング素子とからなる直列回路は前記昇圧部の出力端間に接続され、低圧側に接続された前記第３のスイッチング素子をオフした状態で、高圧側に接続された前記第２のスイッチング素子がスイッチング制御されることで、前記昇圧部の出力電圧を降圧して１乃至複数の発光ダイオードからなる光源部に印加する降圧部と、
前記第１，第２，第３のスイッチング素子のスイッチング制御を行う制御部とを備え、
前記第２，第３のスイッチング素子は、半導体スイッチング素子で構成されており、前記第２のスイッチング素子の両端間の寄生容量を、前記第３のスイッチング素子の両端間の寄生容量よりも大きくすることを特徴とするＬＥＤ点灯装置。
【請求項２】
前記光源部に印加される電圧を検出する電圧検出部を備え、
前記制御部は、前記電圧検出部の検出値が所定の閾値以上となった場合、前記第１のスイッチング素子をオフ状態に維持することを特徴とする請求項１記載のＬＥＤ点灯装置。
【請求項３】
前記光源部に供給される電流を検出する電流検出部を備え、
前記制御部は、前記電流検出部の検出値が所定の閾値以上となった場合、前記第１のスイッチング素子をオフ状態に維持することを特徴とする請求項１記載のＬＥＤ点灯装置。
【請求項４】
前記光源部の状態を検出する負荷状態検出部を備え、
前記制御部は、前記負荷状態検出部の検出結果に基づいて前記光源部が異常状態であると判断した場合、前記第３のスイッチング素子をオン状態に維持することを特徴とする請求項１乃至３のいずれか１項に記載のＬＥＤ点灯装置。
【請求項５】
請求項１乃至４のいずれか１項に記載のＬＥＤ点灯装置と、当該ＬＥＤ点灯装置によって点灯する１乃至複数の発光ダイオードからなる光源部と、前記ＬＥＤ点灯装置および前記光源部を保持する器具本体とを備えることを特徴とする照明器具。
【発明の詳細な説明】
【技術分野】
【０００１】
本発明は、ＬＥＤ点灯装置および、これを用いた照明器具に関するものである。
【背景技術】
【０００２】
従来から、負荷に電力を供給する電源装置が知られており、例えば特許文献1に開示されている。
【０００３】
また、直流電源の出力端間に直列接続されたスイッチング素子を備え、ハイサイド側のスイッチング素子を駆動するための駆動用コンデンサの両端電圧が安定するまでにかかる時間を短縮することができる電源装置がある。この電源装置を従来例として図６を用いて説明する。
【０００４】
従来の電源装置は、直流電力を出力する直流電源Ｅの出力端間に接続されたスイッチング素子Ｑ１０１とインダクタＬ１０１とコンデンサＣ１０１との直列回路と、インダクタＬ１０１とコンデンサＣ１０１とに並列接続されたダイオードＤ１０１とを備えている。また、ダイオードＤ１０１と並列にスイッチング素子Ｑ１０２が接続されており、スイッチング素子Ｑ１０１，Ｑ１０２をスイッチング制御する駆動回路１０２を備えている。
【０００５】
そして、駆動回路１０２は、通常動作時はスイッチング素子Ｑ１０２をオフ状態に維持し、スイッチング素子Ｑ１０１をスイッチング制御することで直流電源Ｅの出力を降圧して、発光ダイオード（ＬＥＤ）で構成された光源部１０１に電力を供給する。
【０００６】
また、ハイサイド側に接続されたスイッチング素子Ｑ１０１を駆動するための電源として用いる駆動用コンデンサＣ１０２を備えている。駆動用コンデンサＣ１０２は、一端がスイッチング素子Ｑ１０１，Ｑ１０２の接続点に接続されており、他端がダイオードＤ１０２を介してコンデンサＣ１０３に接続されている。コンデンサＣ１０３は直流電源Ｅに接続されており、随時充電されている。
【０００７】
そして、駆動回路１０２は、上記通常動作を開始する前に、スイッチング素子Ｑ１０２を所定期間の間オン状態に維持する。それによって、コンデンサＣ１０３→ダイオードＤ１０２→駆動用コンデンサＣ１０２→スイッチング素子Ｑ１０２の経路で電流が流れて駆動用コンデンサＣ１０２が充電される。したがって、駆動用コンデンサＣ１０２が充電されているので、通常動作開始時においてスイッチング素子Ｑ１０１を確実に駆動することができる。さらに、駆動用コンデンサＣ１０２の充電経路にインダクタが含まれる場合に比べて、駆動用コンデンサＣ１０２の両端電圧が安定するまでにかかる時間を短縮することができる。
【先行技術文献】
【特許文献】
【０００８】
【特許文献１】特開２００２−３５４７８３号公報
【発明の概要】
【発明が解決しようとする課題】
【０００９】
スイッチング素子Ｑ１０１，Ｑ１０２はＮチャネルＭＯＳＦＥＴで構成されており、各端子間には寄生容量が存在する。したがって、通常動作時においてスイッチング素子Ｑ１０１をスイッチング制御する際に、スイッチング素子Ｑ１０１のドレイン−ソース間の寄生容量に電荷が蓄積される。そして、寄生容量に蓄積された電荷によってスイッチング損失が増大し、温度ストレスが発生するおそれがあった。
【００１０】
本発明は、上記事由に鑑みてなされたものであり、その目的は、通常動作時におけるスイッチング損失を低減することができるＬＥＤ点灯装置および、これを用いた照明器具を提供することにある。
【課題を解決するための手段】
【００１１】
本発明のＬＥＤ点灯装置は、少なくとも第１のインダクタおよび第１のスイッチング素子を有し、前記第１のスイッチング素子がスイッチング制御されることで、直流電源からの出力電圧を昇圧して出力する昇圧部と、少なくとも第２のインダクタおよび第２，第３のスイッチング素子を有し、前記第２のスイッチング素子と前記第３のスイッチング素子とからなる直列回路は前記昇圧部の出力端間に接続され、低圧側に接続された前記第３のスイッチング素子をオフした状態で、高圧側に接続された前記第２のスイッチング素子がスイッチング制御されることで、前記昇圧部の出力電圧を降圧して１乃至複数の発光ダイオードからなる光源部に印加する降圧部と、前記第１，第２，第３のスイッチング素子のスイッチング制御を行う制御部とを備え、前記第２，第３のスイッチング素子は、半導体スイッチング素子で構成されており、前記第２のスイッチング素子の両端間の寄生容量を、前記第３のスイッチング素子の両端間の寄生容量よりも大きくすることを特徴とする。
【００１２】
このＬＥＤ点灯装置において、前記光源部に印加される電圧を検出する電圧検出部を備え、前記制御部は、前記電圧検出部の検出値が所定の閾値以上となった場合、前記第１のスイッチング素子をオフ状態に維持することが好ましい。
【００１３】
このＬＥＤ点灯装置において、前記光源部に供給される電流を検出する電流検出部を備え、前記制御部は、前記電流検出部の検出値が所定の閾値以上となった場合、前記第１のスイッチング素子をオフ状態に維持することが好ましい。
【００１４】
このＬＥＤ点灯装置において、前記光源部の状態を検出する負荷状態検出部を備え、前記制御部は、前記負荷状態検出部の検出結果に基づいて前記光源部が異常状態であると判断した場合、前記第３のスイッチング素子をオン状態に維持することが好ましい。
【００１５】
本発明の照明器具は、少なくとも第１のインダクタおよび第１のスイッチング素子を有し、前記第１のスイッチング素子がスイッチング制御されることで、直流電源からの出力電圧を昇圧して出力する昇圧部と、少なくとも第２のインダクタおよび第２，第３のスイッチング素子を有し、前記第２のスイッチング素子と前記第３のスイッチング素子とからなる直列回路は前記昇圧部の出力端間に接続され、低圧側に接続された前記第３のスイッチング素子をオフした状態で、高圧側に接続された前記第２のスイッチング素子がスイッチング制御されることで、前記昇圧部の出力電圧を降圧して１乃至複数の発光ダイオードからなる光源部に印加する降圧部と、前記第１，第２，第３のスイッチング素子のスイッチング制御を行う制御部とを備え、前記第２，第３のスイッチング素子は、半導体スイッチング素子で構成されており、前記第２のスイッチング素子の両端間の寄生容量を、前記第３のスイッチング素子の両端間の寄生容量よりも大きくするＬＥＤ点灯装置と、当該ＬＥＤ点灯装置によって点灯する１乃至複数の発光ダイオードからなる光源部と、前記ＬＥＤ点灯装置および前記光源部を保持する器具本体とを備えることを特徴とする。
【発明の効果】
【００１６】
以上説明したように、本発明では、通常動作時におけるスイッチング損失を低減することができるという効果がある。
【図面の簡単な説明】
【００１７】
【図１】本発明の実施形態１のＬＥＤ点灯装置の回路構成図である。
【図２】ＮチャネルＭＯＳＦＥＴの回路図である。
【図３】同上の実施形態２の電圧検出部を備えたＬＥＤ点灯装置の回路構成図である。
【図４】同上の電流検出部を備えたＬＥＤ点灯装置の回路構成図である。
【図５】本発明の照明器具の外観外略図である。
【図６】従来のＬＥＤ点灯装置の回路構成図である。
【発明を実施するための形態】
【００１８】
以下、本発明の実施の形態を図面に基づいて説明する。
【００１９】
（実施形態１）
本実施形態のＬＥＤ点灯装置１の回路構成図を図１に示す。本実施形態のＬＥＤ点灯装置１は、昇圧部２と降圧部３と制御部４と制御電源５と駆動電源部６と負荷状態検出部７とで構成されている。
【００２０】
昇圧部２には、外部の直流電源部９からの出力電圧が入力される。直流電源部９は、交流電源９１と、交流電源９１から入力された交流電圧を全波整流して脈流電圧を出力するダイオードブリッジ９２とで構成されている。
【００２１】
昇圧部２は、インダクタＬ１（第１のインダクタ）とスイッチング素子Ｑ１（第１のスイッチング素子）とダイオードＤ１とコンデンサＣ１とで構成されている。ダイオードブリッジ９２の出力端間にインダクタＬ１とスイッチング素子Ｑ１との直列回路が接続されている。スイッチング素子Ｑ１は、ＮチャネルＭＯＳＦＥＴ（半導体スイッチング素子）で構成されており、後述する制御部４の駆動回路４１の駆動信号がゲートに出力されることで、オン・オフを繰り返すスイッチング制御がされる。また、スイッチング素子Ｑ１と並列にダイオードＤ１とコンデンサＣ１との直列回路が接続されている。そして、上記構成によって昇圧部２は昇圧チョッパ回路を構成しており、スイッチング素子Ｑ１がスイッチング制御されることで、直流電源部９から出力される脈流電圧を昇圧して、所定電圧の直流電圧をコンデンサＣ１の両端間に生成して降圧部３に出力する。
【００２２】
降圧部３は、スイッチング素子Ｑ２，Ｑ３（第２，第３のスイッチング素子）とダイオードＤ２とインダクタＬ２（第２のインダクタ）とコンデンサＣ２とで構成されている。昇圧部２の出力端間にスイッチング素子Ｑ２とインダクタＬ２とコンデンサＣ２との直列回路が接続されており、インダクタＬ２およびコンデンサＣ２と並列にダイオードＤ２が接続されている。スイッチング素子Ｑ２は、ＮチャネルＭＯＳＦＥＴ（半導体スイッチング素子）で構成されており、後述する制御部４の駆動回路４１から駆動信号が出力されることでスイッチング制御される。また、ダイオードＤ２は、カソードがスイッチング素子Ｑ２のソースに接続されている。そして、上記構成によって降圧部３は降圧チョッパ回路を構成しており、スイッチング素子Ｑ２がスイッチング制御されることで、昇圧部２の出力電圧を降圧した直流電圧をコンデンサＣ２の両端間に生成し、後段の光源部８に出力する。
【００２３】
また、ダイオードＤ２と並列にＮチャネルＭＯＳＦＥＴ（半導体スイッチング素子）で構成されたスイッチング素子Ｑ３が接続されている。すなわち、スイッチング素子Ｑ２，Ｑ３からなる直列回路は、昇圧部２の出力端間に接続されており、スイッチング素子Ｑ２はハイサイド側（高圧側）に接続され、スイッチング素子Ｑ３はローサイド側（低圧側）に接続されている。また、スイッチング素子Ｑ３は後述する制御部４の駆動回路４１から駆動信号が出力されることでスイッチング制御される。
【００２４】
そして、制御部４の駆動回路４１は、スイッチング素子Ｑ３をオフ状態に維持し、スイッチング素子Ｑ２を交互にオン・オフするスイッチング制御を行う通常動作時において、昇圧部２の出力電圧を降圧し、降圧した直流電圧を後段の光源部８に出力する。
【００２５】
光源部８は、発光ダイオード（ＬＥＤ）で構成されており、昇圧部２の出力によって点灯する。
【００２６】
制御部４は、各スイッチング素子Ｑ１，Ｑ２，Ｑ３に駆動信号を出力する駆動回路４１と、駆動回路４１に停止信号を出力する停止回路４２とで構成されている。停止回路４２は、後述する負荷状態検出部７からの検出信号に応じてスイッチング素子Ｑ１，Ｑ２の駆動を停止するように指示する停止信号を駆動回路４１に出力する。また、駆動回路４１および停止回路４２は、制御電源５から駆動用の電源電圧が供給されて駆動する。
【００２７】
制御部４の駆動回路４１には、ハイサイド側に接続されたスイッチング素子Ｑ２を駆動させるための電源となる駆動用コンデンサＣ３が接続されている。駆動用コンデンサＣ３は、一端がスイッチング素子Ｑ２，Ｑ３の接続点に接続され、他端は駆動電源部６を構成するダイオードＤ３を介して充電用コンデンサＣ４に接続されている。
【００２８】
駆動電源部６は、抵抗Ｒ１とダイオードＤ３と充電用コンデンサＣ４とで構成されている。充電用コンデンサＣ４は、駆動用コンデンサＣ３を充電する充電用電源として機能するものであり、充電用コンデンサＣ４の正極が抵抗Ｒ１を介してダイオードブリッジ９２の出力の高圧側に接続され、負極がグランドに接続されている。したがって、充電用コンデンサＣ４は、ダイオードブリッジ９２の出力によって、随時充電される。
【００２９】
そして、駆動回路４１がスイッチング素子Ｑ３をオンしている状態では、充電用コンデンサＣ４→ダイオードＤ３→駆動用コンデンサＣ３→スイッチング素子Ｑ３の経路で電流が流れて駆動用コンデンサＣ３が充電される。本実施形態の駆動回路４１は、電源がオンされて制御電源５から電源電圧の供給が開始されると、所定の遅延時間の間、スイッチング素子Ｑ２をオフ状態に維持すると共に、スイッチング素子Ｑ３をオン状態に維持する。それによって、上記の充電経路で駆動用コンデンサＣ３が充電され、遅延時間経過後の通常動作の開始時において、ハイサイド側に接続されたスイッチング素子Ｑ２を確実に駆動することができる。
【００３０】
また、通常動作時におけるインダクタＬ２に電流が流れている期間は、充電用コンデンサＣ４→ダイオードＤ３→駆動用コンデンサＣ３→インダクタＬ２→コンデンサＣ２および光源部８の経路で電流が流れて駆動用コンデンサＣ３が充電される。したがって、通常動作時においても、スイッチング素子Ｑ２を確実に駆動することができる。
【００３１】
負荷状態検出部７は、光源部８の状態を検出するものであって、例えば、光源部８に並列接続される複数の抵抗の直列回路で構成されている。そして、負荷状態検出部７は、光源８の両端に印加されている電圧を抵抗分圧し、検出信号として制御部４の停止回路４２に出力する。停止回路４２は、負荷状態検出部７が出力する検出信号が所定の閾値を上回ると、駆動回路４１に停止信号を出力する。停止信号を受信した駆動回路４１は、スイッチング素子Ｑ１，Ｑ２，Ｑ３の駆動を停止し、光源部８への電力供給を停止することで、光源部８を保護することができる。
【００３２】
また、図２に示すようにＮチャネルＭＯＳＦＥＴは構成上、各端子間に寄生容量が存在する。すなわち、ＮチャネルＭＯＳＦＥＴは、ゲート−ドレイン間寄生容量Ｃｇｄ，ドレイン−ソース間寄生容量Ｃｄｓ，ドレイン−ソース間寄生容量Ｃｄｓが存在する。本実施形態では、スイッチング素子Ｑ１，Ｑ２，Ｑ３がＮチャネルＭＯＳＦＥＴで構成されているので、各スイッチング素子Ｑ１，Ｑ２，Ｑ３には上記寄生容量が存在している。なお、スイッチング素子Ｑ２の両端間に存在するドレイン−ソース間寄生容量をＣｄｓ２（以下、寄生容量Ｃｄｓ２と称す），スイッチング素子Ｑ３の両端間に存在するドレイン−ソース間寄生容量をＣｄｓ３（以下、寄生容量Ｃｄｓ３と称す）とする。
【００３３】
本実施形態において、スイッチング素子Ｑ２の寄生容量Ｃｄｓ２は、スイッチング素子Ｑ３の寄生容量Ｃｄｓ３よりも大きくなるように構成されている。
【００３４】
通常動作時において、スイッチング素子Ｑ２，Ｑ３がオフしている期間は、昇圧部２の出力電圧によってスイッチング素子Ｑ２，Ｑ３の寄生容量Ｃｄｓ２，Ｃｄｓ３にエネルギーが蓄積される。このとき、寄生容量Ｃｄｓ２，Ｃｄｓ３の各々の両端間に印加される電圧の比は、寄生容量Ｃｄｓ２，Ｃｄｓ３の逆数の比となる。したがって、寄生容量Ｃｄｓ２を寄生容量Ｃｄｓ３よりも大きくすることで、スイッチング素子Ｑ２のオフ時における寄生容量Ｃｄｓ２の両端間に印加される電圧は、寄生容量Ｃｄｓ２が寄生容量Ｃｄｓ３よりも小さい場合に比べて小さくなる。それによって、寄生容量Ｃｄｓ２に蓄積されるエネルギーを減少させることができる。
【００３５】
そして、寄生容量Ｃｄｓ２に蓄積されるエネルギーが減少することによって、スイッチング素子Ｑ２のターンオン時に、寄生容量Ｃｄｓ２によってスイッチング素子Ｑ２のドレイン−ソース間に流れる放電電流を低減することができる。したがって、寄生容量Ｃｄｓ２が寄生容量Ｃｄｓ３よりも小さい場合と比べて、寄生容量Ｃｄｓ２によってドレイン−ソース間に流れる放電電流によるスイッチングロスを低減することができる。それによって、通常動作時におけるスイッチング素子Ｑ２の温度上昇が抑制され、スイッチング素子Ｑ２の温度ストレスを小さくすることができる。
【００３６】
また、本実施形態では、駆動回路４１は停止回路４２から停止信号が出力された場合、スイッチング素子Ｑ１，Ｑ２，Ｑ３をオフ状態に維持することで、光源部８への電力供給を停止しているが、これに限定するものではない。
【００３７】
例えば、駆動回路４１は、停止回路４２から停止信号が出力された場合、スイッチング素子Ｑ１，Ｑ２をオフ状態に維持すると共に、スイッチング素子Ｑ３をオン状態に維持して、光源部８の両端間を短絡することで、光源部８を保護するように構成してもよい。
【００３８】
また、駆動回路４１は、停止回路４２から所定回数以上または所定時間以上継続して停止信号が出力された場合、光源部８への電力供給を停止するように構成してもよい。停止回路４２から出力される停止信号が所定回数未満または所定時間未満である場合、駆動回路４１はスイッチング素子Ｑ１，Ｑ２のスイッチング制御を継続すると共にスイッチング素子Ｑ３を所定期間オンする。それによって、サージ等による過電圧や過電流から光源部８を保護することができる。そして、スイッチング素子Ｑ３をオフ状態に復帰させた後も、停止信号が出力されて、停止信号が所定回数以上または所定時間以上継続して出力される場合、駆動回路４１は光源部８の異常状態と判断する。そして、駆動回路４１が光源部８の異常状態と判断した場合、駆動回路４１は、スイッチング素子Ｑ１，Ｑ２をオフ状態に維持すると共に、スイッチング素子Ｑ３をオン状態に維持することで光源部８への電力供給を停止する。
【００３９】
（実施形態２）
本実施形態のＬＥＤ点灯装置１の回路構成図を図３に示す。本実施形態のＬＥＤ点灯装置１は、光源部８の両端に印加される電圧を検出する電圧検出部７１を備えている。なお、実施形態１と同一構成には同一符号を付して説明は省略する。
【００４０】
本実施形態の光源部８は、複数のＬＥＤ８１が直列接続されることで構成されている。また、電圧検出部７１は光源部８に並列接続される複数の抵抗の直列回路で構成されている。そして、電圧検出部７１は、光源部８の両端に印加される電圧を抵抗分圧し、得られた電圧を検出信号として制御部４の停止回路４２に出力する。
【００４１】
そして、停止回路４２は電圧検出部７１から出力される検出信号に基づいて、光源部８が異常状態と判断した場合、停止信号を駆動回路４１に出力して、光源部８への電力供給を停止する。例えば、光源部８のＬＥＤ８１が劣化等によって負荷電圧が上昇して、光源部８の両端に印加される電圧が過電圧となった場合、検出信号が上限閾値を上回り、停止回路４２は停止信号を駆動回路４１に出力する。それによって、駆動回路４１がスイッチング素子Ｑ１，Ｑ２のスイッチング動作を停止することで、光源部８への電力供給が停止され、光源部８を保護することができる。
【００４２】
また、光源部８に印加される電圧が過電圧となった場合だけでなく、電圧が減少した場合においても、停止回路４２は検出信号が下限閾値を下回ると停止信号を出力するように構成してもよい。
【００４３】
なお、電圧検出部７１は、光源部８に印加される電圧を検出することができればよく、上記構成に限定するものではない。
【００４４】
また、図４に示すように、電圧検出部７１の代わりに電流検出部７２を用いて光源部８の状態を検出するように構成してもよい。電流検出部７２は、光源部８に直列接続された抵抗で構成されており、電流検出部７２は、光源部８に供給される電流によって発生する抵抗の両端電圧を検出信号として制御部４の停止回路４２に出力する。
【００４５】
そして、停止回路４２は電流検出部７２から出力される検出信号に基づいて、光源部８が異常状態と判断した場合、停止信号を駆動回路４１に出力して、光源部８への電力供給を停止する。例えば、ＬＥＤ８１の劣化や、光源部８の接触不良などによって光源部８に負荷電流が上昇し、光源部８に供給される電流が過電流となった場合、検出信号が上限閾値を上回り、停止回路４１は停止信号を駆動回路４１に出力する。それによって、駆動回路４１がスイッチング素子Ｑ１，Ｑ２のスイッチング動作を停止することで、光源部８への電力供給が停止され、光源部８を保護することができる。
【００４６】
また、光源部８に供給される電流が過電流となった場合だけでなく、電流が減少した場合においても、停止回路４２は検出信号が下限閾値を下回ると停止信号を出力するように構成してもよい。
【００４７】
なお、電流検出部７２は、負荷電流を検出することができればよく、上記構成に限定するものではない。例えば、スイッチング素子Ｑ３のソースとダイオードＤ２のアノード間に電流検出部７２が接続されていてもよい。
【００４８】
また、本実施形態の電流検出部７２は抵抗で構成されているが、抵抗の代わりにカレントトランスを用いて光源部８に供給される電流を検出するように構成してもよい。
【００４９】
（実施形態３）
本実施形態の照明器具１０の外観図を図５に示す。本実施形態の照明器具１０は、上記実施形態１，２のいずれか１つのＬＥＤ点灯装置（図示せず）と、光源部８と、ＬＥＤ点灯装置および光源部８を保持する器具本体１１とで構成されている。
【００５０】
図５に示すように、器具本体１１は、ＬＥＤ点灯装置を収納した長尺の箱体で構成されており、長手方向の両端部には、それぞれソケット１２が機械的に保持されている。そして、光源部８が収納された直管型のＬＥＤランプ１３が、ソケット１２に着脱自在に装着される。
【００５１】
また、器具本体１１には、ＬＥＤランプ１３からの光を反射して照明空間に照射するための反射体１４が取り付けられている。反射体１４は、例えばアルミ材等からなり、図５において、下面が開口すると共に下面側に向かうにつれて開口面席が大きくなる長尺の箱体に形成されている。この反射体１４の内面は、反射材（図示せず）で塗装されており、これによりＬＥＤランプ１３からの光を下方へ反射する反射面が形成されている。
【００５２】
本実施形態の照明器具１０は、上記実施形態１，２のいずれか１つのＬＥＤ点灯装置１が用いられることにより、上記実施形態１，２のいずれか１つと同様の効果を奏するものである。もちろん、照明器具１０の構成として、本実施形態の構成に限定されるものではなく、ＬＥＤ点灯装置１と、光源部８と、ＬＥＤ点灯装置１および光源部８を保持する器具本体１１とを備えた構成であれば、他の構成であってもよい。
【符号の説明】
【００５３】
１    ＬＥＤ点灯装置
２    昇圧部
３    降圧部
４    制御部
５    制御電源
６    駆動電源部
７    負荷状態検出部
８    光源部
９    直流電源
４１  駆動回路
４２  停止回路
Ｑ１，Ｑ２，Ｑ３  スイッチング素子（第１，第２，第３のスイッチング素子）
Ｌ１，Ｌ２  インダクタ（第１，第２のインダクタ）
【図１】
2012147507.tif 000003
【図２】
2012147507.tif 000004
【図３】
2012147507.tif 000005
【図４】
2012147507.tif 000006
【図５】
2012147507.tif 000007
【図６】
2012147507.tif 000008